(57)【要約】【課題】コーンに簡単に取り付け、取り外しができるコーン用取付プレートを提供する。【解決手段】平板１５の背面に立設し、コーン挿入用の第一の開口１４ａを有する第一の突片１４を備え、平板１５のおもて面を文字表示面として構成する。平板が枠状の表プレート部と裏プレート部とを備え、これら表プレート部及び裏プレート部のそれぞれの対応する縁を連結してプレート間に空隙を画成し、空隙内に文字・図形等を表示した表示シートを挿入する差込口を裏プレートに形成し、この裏プレートに第一の突片１４を立設する。さらに、平板の背面に、第一の突片と離隔して並設した、コーン挿入用の第二の開口２４ａを有する第二の突片２４を、備えている。【選択図】        図１６
2004346488.tif 000002
【特許請求の範囲】
【請求項１】
平板と、この平板の背面に立設した連結部と、この連結部から延設したコーン挿入用のリングと、を備え、
上記平板のおもて面が、文字や図形の表示面として構成されていることを特徴とする、コーン用取付プレート。
【請求項２】
平板と、この平板の背面に立設し、コーン挿入用の第一の開口を有する第一の突片と、を備え、
前記平板のおもて面が、文字や図形の表示面として構成されていることを特徴とする、コーン用取付プレート。
【請求項３】
前記平板が、枠状の表プレート部と、裏プレート部とを備えており、これら表プレート部及び裏プレート部のそれぞれの対応する縁を連結して、プレート間に空隙を画成し、
上記空隙内に文字・図形等を表示した表示シートを挿入する差込口を上記裏プレートに形成し、この裏プレートに前記第一の突片が立設していることを特徴とする、請求項２に記載のコーン用取付プレート。
【請求項４】
前記平板が、枠状の表プレート部と、この表プレート部の下端とインテグラルヒンジを介して連結された裏プレート部と、上記表プレート部が裏プレート部に対して開閉するのを規制するロック機構とを備え、
上記表プレート部が、裏プレート部に対して倒伏した際に、プレート間に空隙が画成され、この裏プレートに前記第一の突片が立設したことを特徴とする、請求項２に記載のコーン用取付プレート。
【請求項５】
前記ロック機構が、前記表プレート部の側縁に形成されたスリットと、上記側縁に対応する前記裏プレート部の側縁に立設し、上記スリットに係止する爪と、から構成されていることを特徴とする、請求項４に記載のコーン用取付プレート
【請求項６】
前記平板の背面に、前記第一の突片と離隔して並設された、コーン挿入用の第二の開口を有する第二の突片を、備えたことを特徴とする、請求項２〜５の何れかに記載のコーン用取付プレート。
【請求項７】
前記突片が、前記平板に対して倒伏可能に、前記平板の背面に連結されていることを特徴とする、請求項２〜６の何れかに記載のコーン用取付プレート。
【請求項８】
前記突片と前記平板とが、インテグラルヒンジによって連結されていることを特徴とする、請求項７に記載のコーン用取付プレート。
【請求項９】
平板と、この平板の背面に設けられた少なくとも二つの取付部と、これらの二つの取付部間に着脱可能に架設される取付部材と、を備え、
上記平板背面と上記取付部材によって画成された領域に、コーンが入るように構成されていることを特徴とする、コーン用取付プレート。
【発明の詳細な説明】
【０００１】
【発明の属する技術分野】
本発明は、道路や路肩に載置されるコーンに着脱可能な取付プレートに関するものである。
【０００２】
【従来の技術】
道路保安用品として、道路工事の現場での交通規制や道路の路肩への車両の駐車禁止を、ドライバーに認識させるために路上に置かれて使用される所謂コーンが知られている。このコーンは、板状のベース部と、このベース部から起立した略円錐体とを備えており、ゴムあるいは合成樹脂で一体的に形成されている。
【０００３】
【発明が解決しようとする課題】
しかしながら、商業施設の店舗などにおいては、店頭に車両が駐車されるのを規制するために、店舗前の道路や路肩にコーンを置いたとしても、ドライバーの注意を喚起することができない場合がある。また、コーンの略円錐体の表面に「駐車禁止」などの文字を記した印刷紙を直接貼付したとしても、略円錐体の外形に沿って印刷紙が丸まってしまうために、その文字が明確に認識できない場合がある。
【０００４】
また、このような事態を回避するために、例えば、二つのコーンを置き、コーン間にロープを張設し、さらに駐車禁止を表示したプレートをロープから垂下するように添設させることによって、ドライバーに注意を促すことも可能であるが、その準備や設置の作業が煩雑となる。
【０００５】
そこで、本発明は、コーンに簡単に取り付け、取り外しができるコーン用取付プレートを提供することを目的とする。
【０００６】
【課題を解決するための手段】
この目的を達成するために、本発明のコーン用取付プレートは、平板と、この平板の背面に立設した連結部と、この連結部から延設したコーン挿入用のリングと、を備え、上記平板のおもて面が、文字文字や図形の表示面として構成されている。
【０００７】
上記目的を達成するために、本発明のコーン用取付プレートは、平板と、この平板の背面に立設し、コーン挿入用の第一の開口を有する第一の突片と、を備え、前記平板のおもて面が、文字文字や図形の表示面として構成されている。
【０００８】
さらに、本発明のコーン用取付プレートは、前記平板が、枠状の表プレート部と、裏プレート部とを備えており、これら表プレート部及び裏プレート部のそれぞれの対応する縁を連結して、プレート間に空隙を画成し、この空隙内に文字・図形等を表示した表示シートを挿入する差込口を上記裏プレートに形成し、この裏プレートに前記第一の突片が立設している。
【０００９】
また、本発明のコーン用取付プレートは、前記平板が、枠状の表プレート部と、この表プレート部の下端とインテグラルヒンジを介して連結された裏プレート部と、上記表プレート部が裏プレート部に対して開閉するのを規制するロック機構とを備え、上記表プレート部が、裏プレート部に対して倒伏した際に、プレート間に空隙が画成され、この裏プレートに前記第一の突片が立設したことを特徴とすしている。
【００１０】
さらに、本発明のコーン用取付プレートは、前記ロック機構が、前記表プレート部の側縁に形成されたスリットと、上記側縁に対応する前記裏プレート部の側縁に立設し、上記スリットに係止する爪と、から構成されている。
【００１１】
さらに、本発明のコーン用取付プレートは、前記平板の背面に、前記第一の突片と離隔して並設された、コーン挿入用の第二の開口を有する第二の突片を、備えたことを特徴としている。
【００１２】
さらに、本発明のコーン用取付プレートは、好ましくは、前記突片が、前記平板に対して倒伏可能に、前記平板の背面に連結されている。例えば、前記突片と前記平板とが、インテグラルヒンジによって連結されている。
【００１３】
または、目的を達成するために、本発明のコーン用取付プレートは、平板と、この平板の背面に設けられた少なくとも二つの取付部と、これらの二つの取付部間に着脱可能に架設される取付部材と、を備え、上記平板背面と上記取付部材によって画成された領域に、コーンが入るように構成されている。このように取付部材を平板に対して着脱可能にすれば、使用時の取付部の選択によって平板の縦横の配置関係を切替使用することができ、また、一対の取付部を縦に複数配設されていれば、ポールに対する高さ位置を調整することも可能である。
【００１４】
【発明の実施の形態】
以下、図面を参照して本発明の実施形態を説明する。
図１は本発明の第一実施形態に係るコーン用取付プレート１の使用状態を示す斜視図であり、コーン用取付プレート１０は、おもて面を『駐車禁止』の文字が印刷された表示部１１ａ（文字表示面）として成る縦長の長方形状の平板１１と、平板１１の背面上端から背面方向に垂直に立設した略棒状の連結部１２と、この連結部１２の端部から延設したリング１３と、を備えている。
【００１５】
コーン用取付プレート１を構成する平板１１，連結部１２，リング１３の各寸法は、取付先のコーン５０との関係で設定されている。具体的には、図２に示すように、コーン用取付プレート１がコーン５０にかけられているときに、リング１３から延設された連結部１２の水平方向の長さをＬ１とし、さらに連結部１２の前端位置から平板１１の下端１１ｂまでの長さをＬ２とすると、〔Ｌ２（長さ）／Ｌ１（長さ）〕をコーンの円錐外表面の傾きに等しくなるように設定すると共に、平板１１の下端１１がベース５１に接触しないように平板１１の大きさを設定するのが望ましい。
【００１６】
また、〔Ｌ２（長さ）／Ｌ１（長さ）〕を、図３に示すように平板１１の下端１１ｂとコーン５０の外周面との間に空隙が介在するように、コーンの円錐外表面の傾きよりも大きくしてもよい。
【００１７】
上述のコーン用取付プレート１は、ゴムや樹脂を用いて、一体的に製造されるのが好ましいが、コーン用取付プレート１を構成する平板１１，連結部１２，リング１３を別々に作り、これらの各部材を接着剤などにより相互に連結して一体的に製造することも可能である。
【００１８】
なお、図１に示す平板１１の表示部１１ａには、『駐車禁止』の文字が表されているが、このような文字としては、『駐車禁止』に限らず、『危険』，『左折』，『順路』，『迂回路』，『立入禁止』など様々な文字を表示してもよい。このような文字は、例えば、表示部１１に直に印刷処理を施してもよく、表示部１１ａに印刷物を貼付したり、或いは油性のペンキなどで表示部１１ａに直に筆書きしてもよい。
また、平板１１の形状としては、図１に示す縦長の長方形の他に、横長の長方形などの矩形、円形、楕円形、三角形、四角形、菱形など様々な輪郭を呈するものを用いることが可能である。また、そのような形状としては、図４に示すように、人物の輪郭を呈するようにもできるくまた、図に示すように人物がお辞儀をしているようなデザイン，絵を、文字の代わりに、或いは文字と併用して表示部１１ａに設定しても良い。また、人物の他に、小説・映画・演劇・漫画などの登場人物をモチーフにして、平板１１や表示部１１ａとしても良い。
【００１９】
このように構成されたコーン用取付プレート１は、図１に示すように、リング１３がコーン５０に懸けられることで、平板１１があたかもコーン５０に垂下されているように、コーン５０に取り付けられる。そして、『駐車禁止』などの文字が記された表示部１１ａが、外から目立つ位置に配置される。
一方、コーン５０からリング１３を引き抜くようにコーン５０の上方にコーン用取付プレート１を持ち上げれば、コーン５０からコーン用取付プレート１を容易にはずすことができる。
【００２０】
このように、本発明の第一実施形態に係るコーン用取付プレート１によれば、コーン５０に簡単に『駐車禁止』の文字を記した平板１１を容易に取り付けることができる。そして、その表示によって、ドライバーの注意を容易に引くことが可能であり、これにより、駐車禁止などを有効に図ることができる。
【００２１】
また、コーン５０に対する着脱も簡単なので、従来での煩雑な作業、即ち、二つのコーン間にロープを張架して、そのロープに駐車禁止の札を垂下させる作業を省くことができる。さらに、コーン５０の円錐体に文字を記した印刷紙を直接貼付した場合に比べて、平板１１が平らに形成されているため、表示部１１ａに設定された文字を、ドライバーなどは認識することができる。
【００２２】
上記説明では、図１に示すように、連結部１２の前端が平板１１の上端に位置する場合を説明したが、図５に示す本発明の第一実施形態の変形例に係るコーン用取付プレート１ａのように、連結部１２の前端は、平板１１の背面の高さ中間周辺に位置するように設定されてもよい。
【００２３】
さらに、上記説明では、図１〜図５に示すようにリング１３が連結部１２から延設された構成を例示したが、図６に示す本発明の第一実施形態の他の変形例に係るコーン用取付プレート１ｂのように、平板１１とコーン５０との連結構造を構成してもよい。即ち、コーン用取付プレート１ｂは、平板１１の背面上端に垂直に立設した平板状の突片１４（第一の突片）と、この突片１４の面に垂直に穿設されたコーン挿入用の開口１４ａ（第一の開口）と、を備えている。
【００２４】
さらに、突片１４は、平板１１との連結箇所の幅を平板１１の上端幅と同じに設定され、平板１１から距離が離れるにしたがって、その幅が次第に縮小しており、図６（ｂ）に示すように、テーパー状に形成されている。
【００２５】
このように、平板１１の幅と突片１４の基端の幅とを同じく設定し、さらに突片１４がテーパー形状を呈することから、さらにコーン用取付プレート１ｂを構成する各部材、平板１１と突片１４との一体性が向上し、コーン用取付プレート１ｂの全体から生ずる美観が向上する。
【００２６】
ところで、上記説明では、平板１１の表面の表示部１１ａに『駐車禁止』などの文字を直接ペンキやインクなどで記していたが、以下の本発明の第二実施形態のように平板を構成してもよい。
【００２７】
ここで、図７は本発明の第二実施形態に係るコーン用取付プレート２の使用状態を示す斜視図であり、図８は本発明の第二実施形態に係るコーン用取付プレート２の背面図であり、図９は図８のＡ−Ａ線断面図であり、図１０は図８のＢ−Ｂ線断面図ある。
【００２８】
これらの図７〜図１０に示すコーン用取付プレート２は、前述のコーン用取付プレート１と異なり、平板１１の代わりに、平板１５を備えていることを特徴としている。
ここで、平板１５は、前述の平板１１と異なり、表プレート部１５ａと裏プレート部１５ｃとから構成されており、具体的には、平板１５は、表プレート部１５ａと裏プレート部１５ｃとの面を互いに向かい合わせると共に、それらの間に空隙が画成されるように、表プレート部１５ａ及び裏プレート部１５ｃのそれぞれの対応する縁を連結して、横長の長方形状に形成されている。尚、表プレート部１５ａ及び裏プレート部１５ｃの板厚や各プレート間隔は、１ｍｍ〜２ｍｍ程度に設定されている。
【００２９】
さらに、表プレート部１５ａには、図７，図９及び図１０に示すように、開口１５ｂが設定されて枠状に形成されている。この開口の大きさは、例えば、表プレート１５の四分の三程度の領域を占める程度に設定されている。一方、裏プレート部１５ｃには、平板１５内の空間、即ち、表プレート部１５ａと裏プレート部１５ｃとによって画成される空隙に、後述する印刷紙などを差し入れるための差込口１５ｄが形成されている。この差込口１５ｄは、図８に示すように、裏プレート部１５ｃの上部に設定されている。
【００３０】
なお、突片１４は、その基部を裏プレート部１５ｃの上縁に連結されており、基部の幅は、図７に示すように、平板１５の横幅よりも狭く設定されているが、基部の幅は、平板１５の横幅と同一に設定されて、テーパー状に形成されていてもよい。
【００３１】
このように構成された本発明の第二実施形態に係るコーン用取付プレート２の使用方法について説明する。
先ず、平板１５内に、差込口１５ｄから所望の文字（駐車禁止，立入禁止，順路など）を記した印刷紙を差し入れて、平板１５の空隙に印刷紙を包含する。そして、コーン用取付プレート２の突片１４に形成された開口１４ａ内に、コーン５０が入るように、コーン５０の上からコーン用取付プレート２を落とすと、平板１５があたかもコーン５０から垂下された状態で、コーン用取付プレート２がコーン５０に取り付けられる。
【００３２】
このようにして、第二実施形態に係るコーン用取付プレート２によっても、印刷紙に記した『駐車禁止』，『立入禁止』などの文字が、外から目立つ位置に配置されるので、前述のコーン用取付プレート１，１ａ，１ｂと同様に、ドライバーの注意を容易に引くことが可能であり、これにより、駐車禁止などを有効に図ることができる。
【００３３】
また、『駐車禁止』などを記した印刷紙は平板１５内に保持されているので、印刷紙を掲出するのに粘着テープなどで取付先に貼付する必要がないばかりか、印刷紙が雨や風で外れることもない。
【００３４】
さらに、コーン用取付プレート２は、使用用途に応じて、所望の文字を記した印刷紙を差込口１５ｄから平板１５内に差し入れて使用することができる。なお、上記コーン用取付プレート２において、平板１５の内部に向いた裏プレート１５ｃの面１５ｃ１は、使用頻度の高い文字が予め設定されていても良い。このような設定によれば、使用頻度の高い文字を表示したい場合は、コーン用取付プレート２を単にコーン５０に取り付けるだけで良いので、簡便である。
【００３５】
上記第二実施形態に係るコーン用取付プレート２においては、平板１５の空隙に差込口１５ｄから印刷紙を差し入れる構成を例示したが、平板１５内に印刷紙を収容するための構成としては、図１１に示す本発明の第二実施形態の変形例に係るコーン用取付プレート２ａのように、平板１６を開閉式に構成することもできる。
【００３６】
ここで、平板１６は、印刷紙６０を包含するための空隙を画成するために、略長方形の枠状に形成された表プレート部１６ａと、この表プレート部１６ａの下端とインテグラルヒンジを介して連結された裏プレート部１６ｂと、を備え、さらに、表プレート部１６ａが裏プレート部１６ｂに対して開閉するのを規制するロック機構を備えている。
【００３７】
表プレート部１６ａの周縁には裏プレート部１６ｂ側に延びる側壁１６ｃが立設されており、プレート１６ａ及びその側壁１６ｃに覆われるように、裏プレート部１６ｂは表プレート部１６ａよりも一回り小さく設計されている。
【００３８】
そして、平板１６は、表プレート部１６ａが裏プレート部１６ｂに倒伏した状態を維持して、二つのプレートの間の空隙に印刷紙６０を保持できるように、ロック機構を備えている。このロック機構として、表プレート部１６ａの上縁の側壁には、スリット１６ｄが形成されており、このスリット１６ｄに係止する爪１６ｅが裏プレート部１６ｂの上端に突設されている。
【００３９】
尚、突片１４は、その基部を裏プレート部１６ｂの上縁に連結されており、基部の幅は、図１１に示すように、平板１６の横幅よりも狭く設定されているが、平板１６の横幅と同一に設定されて、テーパー状に形成されていてもよい。
【００４０】
このように構成された本発明の第二実施形態の変形例に係るコーン用取付プレート２ａの使用方法について説明する。
先ず、平板１６が閉じているときには、爪１６ｅをスリット１６ｄからはずし、表プレート部１６ａを裏プレート部１６ｂから持ち上げて、それらの間を拡開する。
【００４１】
そして、図１１に示すように、裏プレート部１６ｂに印刷紙６０を載せて、表プレート部１６ａを裏プレート部１６ｂ側に押し倒す。そして、二つのプレート部１６ａ，１６ｂとの間に印刷紙６０が保持されるように、爪１６ｅをスリット１６ｄに係止させる。
【００４２】
その後の手順としては、前述のコーン用取付プレート２と同様に、コーン用取付プレート２ａの突片１４に形成された開口１４ａ内に、コーン５０が入るように、コーン５０の上からコーン用取付プレート２ａを落とすと、平板１６があたかもコーン５０から垂下された状態で、コーン用取付プレート２ａがコーン５０に懸けられる。
【００４３】
このようにして、第二の実施形態の変形例に係るコーン用取付プレート２ａによっても、前述のコーン用取付プレート１，１ａ，１ｂ，２と同様の作用効果を得られる。
【００４４】
第二実施形態の変形例に係るコーン用取付プレート２ａでは、表プレート部１６ａと裏プレート部１６ｂとはインテグラルヒンジを介して連結されているが、このようなインテグラルヒンジは、前述のコーン用取付プレート１，１ａ、１ｂ，２などの他の連結箇所においても適用することが可能である。すなわち、上記で例示したコーン用取付プレート１，１ａ、１ｂ，２，２ａは、何れも、（イ）連結部１２が平板１１に対して、または（ロ）突片１４が平板１１，１５，１６に対して、それぞれ固定的に取り付けられていて、折り畳むことができないように構成されているが、それらの境界は、例えばインテグラルヒンジによって構成することができる。このように折り畳み可能に構成されていれば、不使用時に、コーン用取付プレート１，１ａ、１ｂ，２の連結部１２或いは突片１４を、平板１１，１５，１６に倒伏させれば、収納スペースを小さくすることができて、便利である。
【００４５】
次に、連結部１２或いは突片１４を、平板１１，１５に対して倒伏可能にする他の構成について例示する。
図１２は本発明の第三の実施形態に係るコーン用取付プレート３を示す分解図であり、コーン用取付プレート３は、平板１７と、取付部材１８とを備える。
【００４６】
取付部材１８は、針金を門型に折り曲げ、さらにその端部１８ａ，１８ｂを同一直線上で互いに反対方向に折り曲げて形成されており、さらに、取付部材１８は、端部１８ａ，１８ｂ同士を近づけるように力を加えると、それらの距離が短くなるように、可撓性を有する。尚、図１２に示す取付部材１８は、通常時に、端部１８ａ，１８ｂ間が距離Ｌ３に設定されている。また、取付部材１８としては、針金に限らず、可撓性を有する線条の部材を用いてもよい。
【００４７】
平板１７は、その基本的構成を前述の平板１５と同じくするが、取付部材１８が取り付けられたり、はずされたりすることができるようになっている点が、前述の平板１５と異なる。
【００４８】
すなわち、平板１７を構成する裏プレート部１５ｃには、図１３に示すように、４つの取付部１９ａ〜１９ｄが設けられている。各取付部１９ａ〜１９ｄ同士は、縦方向及び横方向の各間隔をＬ３、すなわち、通常時の端部１８ａ，１８ｂ同士の間隔に、設定されている。さらに、各取付部１９ａ〜１９ｄには、図１４に示すように、裏プレート部１５ｃの面に水平な縦及び横の一対の貫通孔１９ｅ，１９ｆが、互いに交差するように形成されている。
【００４９】
このようにして構成される本発明の実施形態に係るコーン用取付プレート３のの使用方法について説明する。
【００５０】
先ず、取付部材１８を平板１７に取り付ける。このとき、取付部材１８は、裏プレート部１５ｃに設けられた四つの取付部１９ａ〜１９ｄの内の隣接する二つの取付部を選択して、選択した二つの取付部の同一直線上にある貫通孔１９ｅ或いは貫通孔１９ｆに取付部材１８の各端部１８ａ，１８ｂを挿入する。
【００５１】
これにより、取付部材１８が平板１７に取り付けられる。例えば、略長方形状を呈する平板１７を、横長にして使用する場合には、図１５に示すように、取付部材１８を、取付部１９ａと取付部１９ｄとに各端部１８ａ，１８ｂを挿入すればよい。
【００５２】
その後の手順としては、前述のコーン用取付プレート１，１ａ，１ｂ，２，２ａと同様に、コーン用取付プレート３の取付部材１８が画成する輪、すなわち平板１７背面と付部材１８によって画成された領域に、コーン５０が入るように、コーン５０の上からコーン用取付プレート３を落とすと、平板１７があたかもコーン５０から垂下された状態で、コーン用取付プレート２ａがコーン５０に懸けられる。
【００５３】
このようにして、第三の実施形態に係るコーン用取付プレート３によっても、前述のコーン用取付プレート１，１ａ，１ｂ，２，２ａと同様の作用効果を得られる。なお、このようなコーン用取付プレート３の平板１７の背面に設けられる取付部１９ａ〜１９ｄは少なくとも二つ配設されていればよく、また、前述の如く、平板１７の縦横の配置関係を逆にする切替に限らず、ポール５０に対する高さ位置を切替可能に、一対の取付部を縦に複数配設してもよい。
【００５４】
ところで、前述の図６，図７，図１１に示すコーン用取付プレート１ｂ，２，２ａにおいては、平板１１，  １５の背面上部に、突片１４が配置されている構成を例示したが、図１６に示す第四の実施形態に係るコーン用取付プレート４のように、平板１５の背面下部にも突片２４（第二の突片）が設けられてもよい。この突片２４には、突片１４と同様に、開口２４ａ（第二の開口）が形成されているが、この開口２４ａは、コーン５０の円錐状の本体下部の側面に対応するように、円形の開口１４ａよりも大きく形成されており、さらに第一及び第二の開口１４ａ，２４ａの中心は、同じ垂直軸上に配置されるように設定されている。
【００５５】
また、本実施形態に係るコーン用取付プレート４の突片１４，２４は、インテグラルヒンジを介して平板１５に連結されるように構成されていてもよく、或いは平板１５の上部及び下部に、図６に示す突片１４と同じように、平板１５の背面に立設するように構成されていてもよい。
【００５６】
このように構成されたコーン用取付プレート４は、図１７に示すように、各突片１４，２４の開口１４ａ，２４ａにコーン５０の円錐体が嵌入して、コーン用取付プレート４は、コーン５０に取り付けられる。
【００５７】
この場合、コーン用取付プレート４が二つの突片１４，２４によってコーン５０に支持されるので、前述のコーン用取付プレート１ｂ，２，２ａよりも、さらに取付状態の安定性が向上する。
【００５８】
なお、図１６及び図１７に示すコーン用取付プレート４においては、二つの突片１４，２４が平板１５に連結されている態様を示したが、この平板１５の代わりに、図１，図４，図６及び図１１に示した平板１１，１６の背面の上部及び下部に、前述の突片１４，２４を取り付けるようにしてもよい。
【００５９】
上記説明では、コーン５０が円錐体として構成され、それに対応してリング１３及び開口１４ａ，２４ａが円形に形成される場合を例示したが、例えば、コーンが四角錐の形状であれば、それに対応して前述のリング１３及び開口１４ａ，２４ａの形状は設定される。
【００６０】
【発明の効果】
以上詳述したように、本発明のコーン用取付プレートは、コーンに簡単に『駐車禁止』などの文字を記した平板を容易に取り付けることができる。これによって、ドライバーの注意を容易に引くことが可能であり、これにより、駐車禁止などを有効に図ることができる。
【図面の簡単な説明】
【図１】本発明の第一実施形態に係るコーン用取付プレートの使用状態を示す斜視図である。
【図２】本発明の第一実施形態に係るコーン用取付プレートの使用状態を示す側面図である。
【図３】本発明の第一実施形態に係るコーン用取付プレートの使用状態を示す側面図である。
【図４】本発明の第一実施形態に係るコーン用取付プレートの応用例の使用状態を示す斜視図である。
【図５】（ａ）は本発明の第一実施形態の変形例に係るコーン用取付プレートの使用状態を示す斜視図であり、（ｂ）はその側面図である。
【図６】（ａ）は本発明の第一実施形態の他の変形例に係るコーン用取付プレートの使用状態を示す斜視図であり、（ｂ）は突片を上方からみた平面図である。
【図７】本発明の第二実施形態に係るコーン用取付プレートの使用状態を示す斜視図である。
【図８】本発明の第二実施形態に係るコーン用取付プレートの背面図である。
【図９】図８のＡ−Ａ線断面図である。
【図１０】図８のＢ−Ｂ線断面図である。
【図１１】本発明の第二実施形態の変形例に係るコーン用取付プレートを示す斜視図である。
【図１２】本発明の第三実施形態に係るコーン用取付プレートを示す分解図である。
【図１３】図１２に示す平板の背面図である。
【図１４】図１２の平板の背面に設けられる取付部を示す斜視図である。
【図１５】本発明の第三実施形態に係るコーン用取付プレートを示す平面図である。
【図１６】本発明の第四実施形態に係るコーン用取付プレートを示す斜視図である。
【図１７】図１６のコーン用取付プレートの使用状態を示す斜視図である。
【符号の説明】
１，１ａ，１ｂ，２，２ａ，３，４  コーン用取付プレート
１１，１５，１６，１７  平板
１１ａ      表示部（文字表示面）
１１ｂ      平板の下端
１２        連結部
１３        リング
１４        突片（第一の突片）
１４ａ      開口（第一の開口）
１５ａ，１６ａ  表プレート部
１５ｂ      表プレート部の開口
１５ｃ，１６ｂ  裏プレート部
１５ｄ      差込口
１６ｃ      表プレート部の側壁
１６ｄ      スリット
１６ｅ      爪
１８        取付部材
１８ａ，１８ｂ  取付部材の端部
１９ａ〜１９ｄ  取付部
１９ｅ，１９ｆ  貫通孔
２４        突片（第二の突片）
２４ａ      突片の開口（第二の開口）
５０        コーン
６０        印刷紙
【図１】
2004346488.tif 000003
【図２】
2004346488.tif 000004
【図３】
2004346488.tif 000005
【図４】
2004346488.tif 000006
【図５】
2004346488.tif 000007
【図６】
2004346488.tif 000008
【図７】
2004346488.tif 000009
【図８】
2004346488.tif 000010
【図９】
2004346488.tif 000011
【図１０】
2004346488.tif 000012
【図１１】
2004346488.tif 000013
【図１２】
2004346488.tif 000014
【図１３】
2004346488.tif 000015
【図１４】
2004346488.tif 000016
【図１５】
2004346488.tif 000017
【図１６】
2004346488.tif 000018
【図１７】
2004346488.tif 000019